(57)【要約】【課題】２枚のシートが互いに貼着されて構成され、一方のシートの一部が分離線によって分離された余剰部を有するものにおいて、余剰部以外の領域が他方のシートから不用意に剥離することを回避する。【解決手段】伝票片１０と収納片４０とがミシン目３０を介して折り畳み可能に連接してなる貼付シート２と、貼付シート２の一方の面に貼着された剥離台紙５とを有し、伝票片１０が、剥離台紙５との貼着面のうちミシン目３０以外の３辺に沿う領域に、伝票片１０を剥離台紙５と剥離可能に貼着する貼着層３ａを有し、収納片４０が、ミシン目３０に隣接する２辺に沿う領域が、スリット２７によって収納片４０から分離されるとともに剥離台紙５に貼着された余剰部２９となっており、余剰部２９以外の領域となる収納片本体部２０が、ミシン目３０以外の辺に沿う領域にて剥離台紙５と剥離可能に貼着されている。【選択図】図１
2019038210.tif 000002
【特許請求の範囲】
【請求項１】
第１の紙片部と第２の紙片部とが折り部を介して折り畳み可能に連接してなる第１のシートと、前記第１のシートの一方の面に貼着された第２のシートとを有してなる貼付用シートであって、
前記第１の紙片部は、前記第２のシートとの貼着面のうち前記折り部以外の３辺に沿う領域の少なくとも一部に、当該第１の紙片部を前記第２のシートと剥離可能に貼着する第１の貼着層を有し、
前記第２の紙片部は、前記折り部に隣接する２辺に沿う領域が、分離線によって当該第２の紙片部から分離されるとともに前記第２のシートに貼着された余剰部となっており、前記余剰部以外の領域となる折り返し部が、前記折り部以外の辺に沿う領域の少なくとも一部にて前記第２のシートと剥離可能に貼着されている、貼付用シート。
【請求項２】
請求項１に記載の貼付用シートにおいて、
前記第１の紙片部は、前記第１の貼着層以外の領域に第１の分離部が分離可能に区画形成されており、
前記折り返し部は、前記折り部を中心として前記第１のシートを折り畳んだ際に前記第１の分離部に対向しない領域に、当該折り返し部を前記第２のシートと剥離可能に貼着する第２の貼着層を有する、貼付用シート。
【請求項３】
請求項２に記載の貼付用シートにおいて、
前記折り返し部は、前記折り部を中心として前記第１のシートを折り畳んだ際に前記第１の貼着層に対向しない領域に第２の分離部が分離可能に区画形成されており、
前記第２の貼着層は、前記折り返し部のうち前記第２の分離部以外の領域に設けられている、貼付票シート。
【請求項４】
請求項１に記載の貼付用シートにおいて、
前記折り返し部は、前記第２のシートとの貼着面のうち前記折り部以外の辺に沿う領域の少なくとも一部に剥離層を有し、
前記第２のシートは、前記第１のシートとの貼着面のうち前記剥離層に対向する領域に第３の貼着層を有する、貼付用シート。
【発明の詳細な説明】
【技術分野】
【０００１】
本発明は、２枚のシートが互いに貼着されて構成された貼付用シートに関し、特に、一方のシートの一部が分離線によって分離された余剰部を有するものにおいて、余剰部以外の領域が他方のシートから不用意に剥離することを回避する技術に関する。
【背景技術】
【０００２】
カタログ等を用いて商品を注文して購入する通信販売は、商品を取り扱う店舗に出向くことなく所望の商品を購入することができるため、主に、店舗に出向く時間のない利用者が多く利用している。また、一冊のカタログに様々なカテゴリーの商品が掲載されているものにおいては、一冊のカタログを用いて様々なカテゴリーの商品を見ることができるため、利用者は自宅等にてあたかも大型店舗に出向いているかのように商品を選択することができる。また、近年では、インターネットの普及に伴い、インターネットを介して商品を販売するサービスも提供されており、利用者は商品が販売されているサイトにアクセスすることにより、カタログ等を用いた通信販売と同様に、店舗に出向くことなく自宅等にて所望の商品を選択して購入することができる。
【０００３】
上述したような通信販売を利用して商品を購入する場合は、カタログ等に掲載された商品コードや商品名を所定の用紙に記入し、郵送もしくはＦＡＸにてこの用紙を販売元に送付する。また、インターネットを介して商品を購入する場合は、商品を販売するサイト上に掲載された商品コードや商品名を指定する。すると、商品の販売元において、利用者から送付されてきた用紙に記入された商品コードや商品名、あるいはサイト上にて指定された商品コードや商品名に基づいて、利用者が指定した配送先に商品を宅配便等で発送する。この際、商品の販売元においては、商品とともにその商品の明細情報が記載された納品書を利用者に送付する。そして、商品を受け取った利用者は、受け取った商品と納品書に記載された明細情報とを比較することにより、注文した商品が確かに販売元から発送され利用者が受け取ったかどうかを判断し、その後、商品を注文した際に指定した支払い方法によって購入した商品の料金を支払う。
【０００４】
このように、カタログやインターネットを用いた通信販売においては、利用者が購入した商品が宅配便等によって利用者に配送される際に、その明細情報が記載された納品書が利用者に送付されることになるが、この納品書は、利用者が購入した商品と同梱されて利用者に送付されることになる。そのため、配送伝票に印字される配送情報と納品書に記載される明細情報とのマッチングミスが生じる虞があるとともに、商品を利用者に発送する際に、商品を段ボール箱等の梱包材に入れる作業の他に、配送伝票を段ボール箱等に貼付する作業と、利用明細が記載された利用明細書を段ボール箱等に入れる作業との２つの作業を行うこととなり、商品を利用者に発送する際の作業が煩雑になってしまう。
【０００５】
そこで、このような納品書を、商品を利用者に配送する際に用いられる配送伝票と一体化し、配送伝票に印字される配送情報と納品書に記載される明細情報とのマッチングミスを防止するとともに、商品の発送作業の効率化を図ることができる技術が考えられ、特許文献１に開示されている。
【０００６】
図１４は、納品書と配送伝票とを一体化した配送ラベルの一例を示す図であり、（ａ）は表面図、（ｂ）は（ａ）に示したＡ−Ａ’断面図である。図１５は、図１４に示した配送ラベル３０１の貼着構造を示す図であり、（ａ）は貼付シート３０２の剥離台紙３０５との貼着面の構成を示す図、（ｂ）は剥離台紙３０５の貼付シート３０２との貼着面の構成を示す図である。
【０００７】
本例は図１４および図１５に示すように、貼付シート３０２と剥離台紙３０５とが、貼着層３０３ａ，３０３ｂおよび剥離層３０４を介して剥離可能に貼着された配送ラベル３０１である。
【０００８】
貼付シート３０２は、伝票片３１０と収納片３４０とがミシン目３３０を介して折り畳み可能に連接して構成されている。
【０００９】
伝票片３１０は、伝票本体部３１１がジッパー３１４によって伝票片３１０から分離可能に区画形成され、伝票片３１０以外の領域が伝票補助部３１６となっている。伝票本体部３１１は、配達票３１２と貼付票３１３とがジッパー３１４を介して分離可能に連接して構成されている。配達票３１２および貼付票３１３のそれぞれには、この配送ラベル３０１が貼着されて配送される配送物の配送先の住所や氏名、品名等の配送情報が印字される配送情報表示領域３１２ａ，３１３ａが設けられており、配達票３１２にはさらに、配送物の配送先にて受領印を押下するための押印領域３１２ｂが設けられている。
【００１０】
収納片３４０は、納品書３２１と補助部３２２と余剰部３２９とがミシン目３２７，３３１を介して分離可能に連接して構成されており、納品書３２１と補助部３２２とから収納片本体部３２０が構成されている。補助部３２２は、伝票片３１０と連接してミシン目３３０に沿って形成され、孔部を形成する孔形成部３２５がスリット３１５によって分離した状態となっている。納品書３２１は、補助部３２２のミシン目３３０とは反対側にミシン目３３１によって切り離し可能に連接し、配送ラベル３０１を用いて配送される配送物の明細情報が印字される明細情報表示領域３２１ａが設けられている。余剰部３２９は、収納片本体部３２０の伝票片３１０との連接辺に隣接する２辺にミシン目３２７を介して切り離し可能に連接している。
【００１１】
貼付シート３０２の剥離台紙３０５との貼着面には、伝票補助部３１６のうちミシン目３３０以外の３辺に沿う領域の全面と貼付シート３０２がミシン目３３０を中心として折り畳まれた場合に孔形成部３２５に対向する領域とに、接着剤や粘着剤が塗布されることで貼着層３０３ａが積層されているとともに、孔形成部３２５と余剰部３２９とに、接着剤や粘着剤が塗布されることで貼着層３０３ｂが積層されている。また、剥離台紙３０５の貼付シート３０２との貼着面には、伝票補助部３１６に対向する領域に、剥離ニス等が塗布されることで剥離層３０４が積層されている。これにより、貼付シート３０２は、伝票片３１０においては伝票補助部３１６にて剥離台紙３０５と貼着され、収納片３４０においては孔形成部３２５および余剰部３２９にて剥離台紙３０５と貼着されていることになる。
【００１２】
以下に、上記のように構成された配送ラベル３０１の使用方法について説明する。
【００１３】
図１６は、図１４および図１５に示した配送ラベル３０１の使用方法を説明するための図である。
【００１４】
図１４および図１５に示した配送ラベル３０１を用いて配送物を配送する場合は、貼付シート３０２が剥離台紙３０５に貼着された状態で、配送情報表示領域３１２ａ，３１３ａのそれぞれに、この配送ラベル３０１が貼着されて配送される配送物の配送先の住所や氏名等の配送情報を印字するとともに、明細情報表示領域３２１ａに、配送ラベル３０１が貼着されて配送される配送物の明細情報を印字した後、貼付シート３０２を剥離台紙３０５から剥離する。
【００１５】
貼付シート３０２を剥離台紙３０５から剥離していくと、伝票片３１０においては、伝票補助部３１６が、貼着層３０３ａおよび剥離層３０４を介して剥離台紙３０５に剥離可能に貼着されていることにより、伝票片３１０を剥離台紙３０５から剥離することができる。一方、収納片３４０においては、孔形成部３２５および余剰部３２９が、裏面に積層された貼着層３０３ｂによって剥離台紙３０５に貼着され、それ以外の領域が剥離台紙３０５には貼着されておらず、また、孔形成部３２５がスリット３１５によって補助部３２２から分離された状態となっているとともに、余剰部３２９がミシン目３２７によって収納片本体部３２０から切り離し可能となってため、孔形成部３２５および余剰部３２９が収納片３４０から分離し、孔形成部３２５および余剰部３２９が剥離台紙３０５に貼着されたまま、それ以外の領域が剥離台紙３０５から剥離する。これにより、図１６（ａ）に示すように、補助部３２２は、孔形成部３２５が区画形成されていた領域に孔部３２５ａが形成されることになる。
【００１６】
次に、収納片本体部３２０を収納状態とするために、図１６（ｂ）に示すように、貼付シート３０２をその裏面が内側となるようにミシン目３３０を中心として折り畳む。すると、折り畳まれた収納片本体部３２０は、伝票補助部３１６の裏面に積層された貼着層３０３ａのうち、伝票片３２０と収納片３４０との連接部分に沿う領域以外とは対向しない。また、折り畳まれた収納片本体部３２０のうち納品書３２１が伝票本体部３１１と対向し、補助部３２２に形成された孔部３２５ａが、伝票補助部３１６の裏面に積層された貼着層３０３ａのうち伝票片３１０と収納片３４０との連接部分に沿う領域に対向する。これにより、伝票補助部３１６の裏面に積層された貼着層３０３ａのうち、伝票片３１０と収納片３４０との連接部分に沿う部分が孔部３２５ａを介して表出することになる。
【００１７】
上記のようにして折り畳まれた貼付シート３０２は、伝票補助部３１６のうち、伝票片３１０と収納片３４０との連接部分に沿う領域以外の部分にて貼着層３０３ａが表出しているとともに、伝票片３１０と収納片３４０との連接部分に沿う部分においては貼着層３０３ａが孔部３２５ａを介して表出しているため、収納片本体部３２０を伝票片３１０と配送物との間に収納した状態で、表出した貼着層３０３ａによって配送物に貼着することができる。
【００１８】
そして、貼付シート３０２が貼付された配送物は、配送情報表示領域３１２ａ，３１３ａに印字された配送情報に従って配送先に配送されることになる。
【先行技術文献】
【特許文献】
【００１９】
【特許文献１】国際公開第２０１４／１５５５０４号
【発明の概要】
【発明が解決しようとする課題】
【００２０】
図１４および図１５に示した配送ラベル３０１においては、収納片本体部３２０を伝票片３１０と配送物との間に収納した状態で、表出した貼着層３０３ａによって配送物に貼着するために、収納片３４０を、余剰部３２９をミシン目３２７によって収納片本体部３２０から切り離し可能な構成とし、貼付シート３０２を剥離台紙３０５から剥離する作業に伴って、余剰部３２９が剥離台紙３０５に貼着されたままとしながら収納片本体部３２０が剥離台紙３０５から剥離されるものとしている。そして、余剰部３２９が収納片本体部３２０から分離することで、剥離台紙３０５から剥離された貼付シート３０２を折り畳んだ際に、伝票補助部３１６に積層された貼着層３０３ａを表出させている。
【００２１】
ところが、余剰部３２９をミシン目３２７によって収納片本体部３２０から切り離し可能な構成とした場合、貼付シート３０２を剥離台紙３０５から剥離する際、余剰部３２９が収納片本体部３２０から切り離されることに伴って納品書３２１が破れてしまう虞があり、余剰部３２９を収納片本体部３２０からスムーズに分離することができない。
【００２２】
そこで、ミシン目３２７の代わりに分離線となるスリットを設け、スリットによって余剰部３２９が収納片本体部３２０から元々分離している構成とすれば、貼付シート３０２を剥離台紙３０５から剥離する作業に伴って納品書３２１が破れてしまうことを回避できる。
【００２３】
しかしながら、スリットによって余剰部３２９が収納片本体部３２０から元々分離している構成とした場合、納品書３２１は、剥離台紙３０５との貼着面に貼着層３０３ｂが積層されていないため、ミシン目３３１を中心として捲れ上がってしまう虞があり、配送情報表示領域３１２ａ，３１３ａや明細情報表示領域３２１ａに配送情報や明細情報を印字する際等において、納品書３２１が不用意に剥離してしまう等、取り扱いが不便となってしまうという問題点がある。
【００２４】
本発明は、上述したような従来の技術が有する問題点に鑑みてなされたものであって、２枚のシートが互いに貼着されて構成され、一方のシートの一部が分離線によって分離された余剰部を有するものにおいて、余剰部以外の領域が他方のシートから不用意に剥離することを回避することができる貼付用シートを提供することを目的とする。
【課題を解決するための手段】
【００２５】
上記目的を達成するために本発明は、
第１の紙片部と第２の紙片部とが折り部を介して折り畳み可能に連接してなる第１のシートと、前記第１のシートの一方の面に貼着された第２のシートとを有してなる貼付用シートであって、
前記第１の紙片部は、前記第２のシートとの貼着面のうち前記折り部以外の３辺に沿う領域の少なくとも一部に、当該第１の紙片部を前記第２のシートと剥離可能に貼着する第１の貼着層を有し、
前記第２の紙片部は、前記折り部に隣接する２辺に沿う領域が、分離線によって当該第２の紙片部から分離されるとともに前記第２のシートに貼着された余剰部となっており、前記余剰部以外の領域となる折り返し部が、前記折り部以外の辺に沿う領域の少なくとも一部にて前記第２のシートと剥離可能に貼着されている。
【００２６】
上記のように構成された本発明においては、第２の紙片部を、余剰部が余剰部以外の領域となる折り返し部から分離線によって分離した構成とし、第１のシートを第２のシートから剥離する作業に伴って、余剰部を第２のシートに貼着したまま折り返し部を第２のシートから剥離させ、第２のシートから剥離された第１のシートを折り畳んだ際に、第１のシートに設けられた第１の貼着層を表出させ、折り返し部を第１の紙片部と被着物との間に収納した状態で第１の貼着層によって被着物に貼着することができるようにしている。その際、余剰部が分離線によって折り返し部から分離した構成となっていることで、第１のシートを第２のシートから剥離する作業に伴って折り返し部が破れてしまうことが回避される。また、第２の紙片部は、余剰部が第２のシートと貼着されているが、余剰部以外の領域となる折り返し部においても、折り部以外の辺に沿う領域の少なくとも一部にて第２のシートと剥離可能に貼着されているので、第２のシートから不用意に剥離することが回避される。
【００２７】
また、第１の紙片部が、第１の貼着層以外の領域に第１の分離部が分離可能に区画形成されたものにおいては、折り返し部が、折り部を中心として第１のシートを折り畳んだ際に第１の分離部に対向しない領域に、当該折り返し部を第２のシートと剥離可能に貼着する第２の貼着層を有するものとすることで、第１の分離部を第１の紙片部から分離する際に、折り返し部が第１の分離部に貼着して第１の分離部が第１の紙片部から分離しにくくなってしまうことが回避される。
【００２８】
また、折り返し部が、折り部を中心として第１のシートを折り畳んだ際に第１の貼着層に対向しない領域に第２の分離部が分離可能に区画形成されているものにおいては、第２の貼着層が、折り返し部のうち第２の分離部以外の領域に設けられていることで、第２の分離部を折り返し部から分離する際に、第２の分離部が第１の紙片部に貼着して折り返し部から分離しにくくなってしまうことが回避される。
【００２９】
また、折り返し部が、第２のシートとの貼着面のうち折り部以外の辺に沿う領域の少なくとも一部に剥離層を有し、第２のシートが、第１のシートとの貼着面のうち剥離層に対向する領域に第３の貼着層を有する構成とすることで、折り返し部を折り畳んだ場合に折り返し部が第１の紙片部に貼着してしまうことが回避される。
【発明の効果】
【００３０】
本発明は、余剰部が分離線によって折り返し部から分離した構成となっているとともに、第２の紙片部が、余剰部が第２のシートと貼着されているのみならず、余剰部以外の領域となる折り返し部においても、折り部以外の辺に沿う領域の少なくとも一部にて第２のシートと剥離可能に貼着されているため、２枚のシートが互いに貼着されて構成され、一方のシートの一部が分離線によって分離された余剰部を有するものにおいて、余剰部以外の領域が他方のシートから不用意に剥離することを回避することができる。
【００３１】
また、第１の紙片部が、第１の貼着層以外の領域に第１の分離部が分離可能に区画形成され、折り返し部が、折り部を中心として第１のシートを折り畳んだ際に第１の分離部に対向しない領域に、当該折り返し部を第２のシートと剥離可能に貼着する第２の貼着層を有するものにおいては、第１の分離部を第１の紙片部から分離する際に、折り返し部が第１の分離部に貼着して第１の分離部が第１の紙片部から分離しにくくなってしまうことを回避できる。
【００３２】
また、折り返し部が、折り部を中心として第１のシートを折り畳んだ際に第１の貼着層に対向しない領域に第２の分離部が分離可能に区画形成され、第２の貼着層が、折り返し部のうち第２の分離部以外の領域に設けられているものにおいては、第２の分離部を折り返し部から分離する際に、第２の分離部が第１の紙片部に貼着して折り返し部から分離しにくくなってしまうことを回避できる。
【００３３】
また、折り返し部が、第２のシートとの貼着面のうち折り部以外の辺に沿う領域の少なくとも一部に剥離層を有し、第２のシートが、第１のシートとの貼着面のうち剥離層に対向する領域に第３の貼着層を有するものにおいては、折り返し部を折り畳んだ場合に折り返し部が第１の紙片部に貼着してしまうことが回避される。
【図面の簡単な説明】
【００３４】
【図１】本発明の貼付用シートの第１の実施の形態を示す図であり、（ａ）は表面図、（ｂ）は（ａ）に示したＡ−Ａ’断面図である。
【図２】図１に示した配送ラベルの貼着構造を示す図であり、（ａ）は貼付シートの剥離台紙との貼着面の構成を示す図、（ｂ）は剥離台紙の貼付シートとの貼着面の構成を示す図である。
【図３】図１および図２に示した配送ラベルの使用方法を説明するための図である。
【図４】図１および図２に示した配送ラベルの使用方法を説明するための図である。
【図５】図１および図２に示した配送ラベルの使用方法を説明するための図である。
【図６】図１および図２に示した配送ラベルの使用方法を説明するための図である。
【図７】図１および図２に示した配送ラベルの使用方法を説明するための図である。
【図８】本発明の貼付用シートの第２の実施の形態を示す図であり、（ａ）は表面図、（ｂ）は（ａ）に示したＡ−Ａ’断面図である。
【図９】図８に示した配送ラベルの貼着構造を示す図であり、（ａ）は貼付シートの剥離台紙との貼着面の構成を示す図、（ｂ）は剥離台紙の貼付シートとの貼着面の構成を示す図である。
【図１０】図８および図９に示した配送ラベルの使用方法を説明するための図である。
【図１１】本発明の貼付用シートの第３の実施の形態を示す図であり、（ａ）は表面図、（ｂ）は（ａ）に示したＡ−Ａ’断面図である。
【図１２】図１１に示した配送ラベルの貼着構造を示す図であり、（ａ）は貼付シートの剥離台紙との貼着面の構成を示す図、（ｂ）は剥離台紙の貼付シートとの貼着面の構成を示す図である。
【図１３】図１１および図１２に示した配送ラベルの使用方法を説明するための図である。
【図１４】納品書と配送伝票とを一体化した配送ラベルの一例を示す図であり、（ａ）は表面図、（ｂ）は（ａ）に示したＡ−Ａ’断面図である。
【図１５】図１４に示した配送ラベルの貼着構造を示す図であり、（ａ）は貼付シートの剥離台紙との貼着面の構成を示す図、（ｂ）は剥離台紙の貼付シートとの貼着面の構成を示す図である。
【図１６】図１４および図１５に示した配送ラベルの使用方法を説明するための図である。
【発明を実施するための形態】
【００３５】
以下に、本発明の実施の形態について図面を参照して説明する。
【００３６】
（第１の実施の形態）
図１は、本発明の貼付用シートの第１の実施の形態を示す図であり、（ａ）は表面図、（ｂ）は（ａ）に示したＡ−Ａ’断面図である。図２は、図１に示した配送ラベル１の貼着構造を示す図であり、（ａ）は貼付シート２の剥離台紙５との貼着面の構成を示す図、（ｂ）は剥離台紙５の貼付シート２との貼着面の構成を示す図である。
【００３７】
本形態は図１および図２に示すように、貼付シート２と剥離台紙５とが、貼着層３ａ，３ｂおよび剥離層４を介して剥離可能に貼着された配送ラベル１である。
【００３８】
貼付シート２は、本願発明における第１のシートとなるものであって、伝票片１０と収納片４０とが折り部となるミシン目３０を介して折り畳み可能に連接して構成されている。
【００３９】
伝票片１０は、本願発明における第１の紙片部となるものである。伝票片１０は、伝票本体部１１と、伝票本体部１１を取り囲む伝票補助部１６とから構成され、伝票本体部１１がジッパー１４によって伝票片１０から分離可能に区画形成されている。なお、ジッパー１４としては、略への字の切り込みとタイとが連続してなるものが考えられる。
【００４０】
伝票本体部１１は、本願発明における第１の分離部となるものである。伝票本体部１１は、配達票１２と貼付票１３とから構成され、これらがジッパー１４を介して分離可能に連接している。配達票１２および貼付票１３のそれぞれには、この配送ラベル１が貼着されて配送される配送物の配送先の住所や氏名、品名等の配送情報が印字される配送情報表示領域１２ａ，１３ａが設けられており、配達票１２にはさらに、配送物の配送先にて受領印を押下するための押印領域１２ｂが設けられている。また、配達票１２の１つの角部には、配達票１２を配送ラベル１から分離しやすくするためにコーナーカット１４ａが形成されている。
【００４１】
収納片４０は、本願発明における第２の紙片部となるものであって、収納片本体部２０と余剰部２９とから構成されている。収納片４０は、伝票片１０との連接辺に隣接する２辺に沿う領域が余剰部２９となり、余剰部２９に挟まれた領域が収納片本体部２０となっており、これら収納片本体部２０と余剰部２９とが分離線となるスリット２７を介して分離した状態で連接している。なお、収納片４０の伝票片１０との連接方向の長さは、伝票片１０のミシン目３０から配達票１２の貼付票１３とは反対側の端辺までの長さよりも短くなっている。また、余剰部２９の幅は、伝票補助部１６の幅よりも狭いものとなっている。
【００４２】
収納片本体部２０は、本願発明における折り返し部となるものである。収納片本体部２０は、納品書２１と補助部２２とがミシン目３１によって切り離し可能に連接して構成されている。
【００４３】
補助部２２は、伝票片１０と連接してミシン目３０に沿う領域と余剰部２９に沿う領域とにコの字型となって形成され、伝票片１０と連接してミシン目３０に沿う領域において、孔部を形成する孔形成部２５がスリット１５によって分離した状態となっている。なお、孔形成部２５の形状は、任意のものとすることができる。
【００４４】
納品書２１は、補助部２２に囲まれてミシン目３１によって補助部２２から切り離されることで収納片本体部２０から分離可能に区画形成され、配送ラベル１を用いて配送される配送物の明細情報が印字される明細情報表示領域２１ａが設けられている。
【００４５】
貼付シート２の剥離台紙５との貼着面には、伝票補助部１６のうちミシン目３０以外の３辺に沿う領域の全面と貼付シート２がミシン目３０を中心として折り畳まれた場合に孔形成部２５に対向する領域とに、接着剤や粘着剤が塗布されることで第１の貼着層３ａが積層されているとともに、補助部２２のうち余剰部２９に沿う領域および孔形成部２５と余剰部２９とに、接着剤や粘着剤が塗布されることで第２の貼着層３ｂが積層されている。すなわち、貼着層３ｂは、収納片本体部２０のうち納品書２１以外の領域に積層されていることになる。また、貼着層３ａ，３ｂの幅が互いに同一となっているとともに、上述したように、収納片４０の伝票片１０との連接方向の長さが、伝票片１０のミシン目３０から配達票１２の貼付票１３とは反対側の端辺までの長さよりも短くなっていることで、貼着層３ｂは、ミシン目３０を中心として貼付シート２を折り畳んだ際に伝票本体部１１に対向しない領域に積層されていることになる。
【００４６】
また、剥離台紙５の貼付シート２との貼着面には、伝票補助部１６に対向する領域と、孔形成部２５を除き余剰部２９以外の領域に積層された貼着層３ｂに対向する領域とに、剥離ニス等が塗布されることで剥離層４が積層されている。
【００４７】
これにより、貼付シート２は、伝票片１０が伝票補助部１６にて貼着層３ａと剥離層４とによって剥離台紙５と剥離可能に貼着され、収納片本体部２０が、ミシン目３０以外の辺に沿う領域となる余剰部２９に沿う領域にて貼着層３ｂと剥離層４とによって剥離台紙５と剥離可能に貼着され、孔形成部２５および余剰部２９が貼着層３ａによって剥離台紙５と貼着されていることになる。
【００４８】
以下に、上記のように構成された配送ラベル１の使用方法について説明する。
【００４９】
図３〜図７は、図１および図２に示した配送ラベル１の使用方法を説明するための図である。
【００５０】
図１および図２に示した配送ラベル１を用いて配送物を配送する場合は、まず、貼付シート２が剥離台紙５に貼着された状態で、配送情報表示領域１２ａ，１３ａのそれぞれに、この配送ラベル１が貼着されて配送される配送物の配送先の住所や氏名等の配送情報を印字するとともに、明細情報表示領域２１ａに、配送ラベル１が貼着されて配送される配送物の明細情報を印字する。このように、配送情報表示領域１２ａ，１３ａおよび明細情報表示領域２３ａのそれぞれに、配送情報および明細情報を同時に印字することにより、配送情報と明細情報とのマッチングミスが防止される。この際、収納片４０においては、後述するように貼付シート２と剥離台紙５とを剥離した際に余剰部２９のみが剥離台紙５に貼着されたまま収納片本体部２０が破れることなく剥離台紙５から剥離するために収納片本体部２０と余剰部２９とがスリット２７を介して分離した状態で連接した構成となっているが、収納片本体部２０においても、余剰部２９に沿う領域にて貼着層３ｂと剥離層４とによって剥離台紙５と剥離可能に貼着されているので、収納片本体部２０が剥離台紙５から不用意に剥離することを回避できる。
【００５１】
その後、貼付シート２を剥離台紙５から剥離していくと、伝票片１０においては、伝票補助部１６が、貼着層３および剥離層４を介して剥離台紙５に剥離可能に貼着されていることにより、伝票片１０を剥離台紙５から剥離することができる。
【００５２】
一方、収納片４０においては、孔形成部２５および余剰部２９が、裏面に積層された貼着層３ｂによって剥離台紙５に貼着され、余剰部２９に沿う領域が貼着層３ｂと剥離層４とによって剥離台紙５に剥離可能に貼着され、また、孔形成部２５および余剰部２９がスリット１５，２７によって補助部２２から分離した状態となっているため、孔形成部２５および余剰部２９が剥離台紙５に貼着されたまま、それ以外の領域が剥離台紙５から剥離する。これにより、図３（ａ）に示すように、補助部２２は、孔形成部２５が区画形成されていた領域に孔部２５ａが形成されることになる。
【００５３】
また、余剰部２９においても、裏面に積層された貼着層３ｂによって剥離台紙５に貼着されており、また、スリット２７によって収納片本体部２０から分離しているため、余剰部２９が剥離台紙５に貼着されたままの状態となる。この際、余剰部２９がスリット２７によって収納片本体部２０から分離した構成となっていることで、貼付シート２を剥離台紙５から剥離する作業に伴って収納片本体部２０が破れてしまうことを回避できる。
【００５４】
次に、収納片本体部２０を収納状態とするために、図３（ｂ）に示すように、貼付シート２をその裏面が内側となるようにミシン目３０を中心にして折り畳む。すると、折り畳まれた収納片本体部２０は、上述したように、貼着層３ａ，３ｂの幅が互いに同一となっているとともに、収納片４０の伝票片１０との連接方向の長さが、伝票片１０のミシン目３０から配達票１２の貼付票１３とは反対側の端辺までの長さよりも短くなっていることで、伝票補助部１６の裏面に積層された貼着層３ａのうち、伝票片２０と収納片４０との連接部分に沿う領域以外とは対向しない。また、折り畳まれた収納片本体部２０のうち納品書２１が伝票本体部１１と対向し、補助部２２に形成された孔部２５ａが、伝票補助部１６の裏面に積層された貼着層３ａのうち、伝票片１０と収納片４０との連接部分に沿う領域に対向する。
【００５５】
このような状態となることにより、収納片本体部２０が収納状態とされて貼付シート２をミシン目３０を中心として折り畳むと、図３（ｂ）に示すように、伝票補助部１６の裏面に積層された貼着層３ａのうち、伝票片１０と収納片４０との連接部分に沿う部分が孔部２５ａを介して表出することになる。
【００５６】
上記のようにして折り畳まれた貼付シート２は、伝票補助部１６のうち、伝票片１０と収納片４０との連接部分に沿う領域以外の部分にて貼着層３ａが表出しているとともに、伝票片１０と収納片４０との連接部分に沿う部分においては貼着層３ａが孔部２５ａを介して表出しているため、図４に示すように、これら表出した貼着層３ａによって配送物６に貼着することができる。これにより、貼付シート２は、伝票片１０と配送物６との間に収納片本体部２０が収納された状態で、伝票片１０がほぼ全周に渡って配送物６に貼着されたような状態となるため、納品書２１に秘匿性が要求される情報が印字または記入されている場合にその情報の漏洩を回避することができる。また、配送物６の配送過程において、配送物６との間へのごみ等の侵入を防止することができるとともに、貼付シート２の端部が物体に引っ掛かり、貼付シート２が配送物６から剥がれてしまう等の事故を防止することができる。
【００５７】
貼付シート２が貼付された配送物６は、配送情報表示領域１２ａ，１３ａに印字された配送情報１２ｃ，１３ｃに従って配送先に配送される。
【００５８】
そして、配送先において、図５（ａ）に示すように、配達票１２の押印領域１２ｂに受領印が押下された後、ジッパー１４を破断することによって配達票１２を伝票片１０から分離していく。この際、配達票１２の角部に形成されたコーナーカット１４ａを剥離開始端として利用することで、配達票１２を伝票片１０から容易に分離することができる。また、伝票片１０の裏面には、貼着層３ａが積層されているが、配達票１２には貼着層３ａは積層されておらず、また、折り畳まれた収納片本体部２０の一部に積層された貼着層３ｂは、ミシン目３０を中心として貼付シート２を折り畳んだ際に伝票本体部１１に対向しない領域に積層されているため、図５（ｂ）に示すように、伝票片１０から分離しにくくなることなく配達票１２を伝票片１０から分離して、配送物６からも分離することができる。伝票片１０から分離された配達票１２は配送業者によって持ち帰られ、配送管理に用いられる。
【００５９】
その後、配送物６の配送先において、図６（ａ）に示すようにジッパー１４を破断していき、貼付票１３を伝票片１０から分離する。伝票片１０の裏面には、貼着層３ａが積層されているが、貼付票１３には貼着層３ａは積層されておらず、また、折り畳まれた収納片本体部２０の一部に積層された貼着層３ｂは、ミシン目３０を中心として貼付シート２を折り畳んだ際に伝票本体部１１に対向しない領域に積層されているため、図６（ｂ）に示すように、伝票片１０から分離しにくくなることなく貼付票１３を伝票片１０から分離して、配送物６からも分離することができる。すると、納品書２１が、伝票本体部１１に対向する領域に収納されていることにより、伝票本体部１１が伝票片１０から分離した領域から納品書２１が取り出し可能な状態となる。
【００６０】
そして、図７に示すように、ミシン目３１を破断することによって納品書２１を補助部２２から切り離すことにより、納品書２１を取り出すことができる。この際、伝票片１０と配送物６との間に収納された収納片本体部２０には、貼付シート２の折り畳み状態にて伝票片１０に対向する面に貼着層３ｂが積層されているが、貼着層３ｂは、収納片本体部２０のうち納品書２１以外の領域となる補助部２２に積層されているため、納品書２１を収納片本体部２０から分離する場合に、納品書２１が伝票片１０に貼着して収納片本体部２０から分離しにくくなってしまうことを回避できる。
【００６１】
なお、本形態においては、納品書２１がコの字型に形成されたミシン目３１を介して補助部２２から分離可能となっているが、コの字型に形成されたミシン目３１のうち、ミシン目３０に並行する辺においては、スリットや一部にタイ部を有するカット部であってもよい。
【００６２】
（第２の実施の形態）
図８は、本発明の貼付用シートの第２の実施の形態を示す図であり、（ａ）は表面図、（ｂ）は（ａ）に示したＡ−Ａ’断面図である。図９は、図８に示した配送ラベル１０１の貼着構造を示す図であり、（ａ）は貼付シート１０２の剥離台紙１０５との貼着面の構成を示す図、（ｂ）は剥離台紙１０５の貼付シート１０２との貼着面の構成を示す図である。
【００６３】
本形態は図８および図９に示すように、図１および図２に示したものに対して、収納片１４０の構成が異なる配送ラベル１０１である。
【００６４】
本形態における収納片１４０は、余剰部１２９の幅が貼着層１０３ｂの幅と同一となっているとともに、伝票片１１０との連接方向の長さが、伝票片１１０のミシン目１３０から配達票１１２の貼付票１１３とは反対側の端辺までの長さよりも長く、かつ、伝票片１１０の長さよりも短いものとなっている。そして、収納片本体部１２０が、補助部１２２ａと納品書１２１と補助部１２２ｂとがミシン目１３１，１３２を介してミシン目１３０側からこの順で分離可能に連接して構成されており、補助部１２２ｂが、貼付シート１０２がミシン目１３０を中心として折り畳まれた場合にその一部が貼着層１０３ａに対向するように構成されている。補助部１２２ｂには、剥離台紙１０５との貼着面に、接着剤や粘着剤が塗布されることで貼着層１０３ｃが積層されている。また、貼着層１０３ｂは、収納片１４０のうち孔形成部１２５と余剰部１２９のみに積層されている。
【００６５】
本形態における剥離台紙１０５は、貼付シート１０２に合わせて長手方向の長さが図１および図２に示したものよりも長くなっており、貼付シート１０２との貼着面のうち収納片１４０に対向する領域においては、貼着層１０３ｃに対向する領域のみに剥離層１０４ａが積層されている。
【００６６】
以下に、上記のように構成された配送ラベル１０１の使用方法について説明する。
【００６７】
図１０は、図８および図９に示した配送ラベル１０１の使用方法を説明するための図である。
【００６８】
図８および図９に示した配送ラベル１０１を用いて配送物を配送する場合は、貼付シート１０２が剥離台紙１０５に貼着された状態で、配送情報表示領域１１２ａ，１１３ａのそれぞれに、この配送ラベル１０１が貼着されて配送される配送物の配送先の住所や氏名等の配送情報を印字するとともに、明細情報表示領域１２１ａに、配送ラベル１０１が貼着されて配送される配送物の明細情報を印字する。この際、収納片１４０においては、後述するように貼付シート１０２と剥離台紙１０５とを剥離した際に余剰部１２９のみが剥離台紙１０５に貼着されたまま収納片本体部１２０が破れることなく剥離台紙１０５から剥離するために収納片本体部１２０と余剰部１２９とがスリット１２７を介して分離した状態で連接した構成となっているが、収納片本体部１２０においても、補助部１２２ｂにて貼着層１０３ｃと剥離層１０４ａとによって剥離台紙１０５と剥離可能に貼着されているので、剥離台紙１０５から不用意に剥離することを回避できる。
【００６９】
その後、貼付シート１０２を剥離台紙１０５から剥離していくと、伝票片１１０においては、伝票補助部１１６が、貼着層１０３ａおよび剥離層１０４を介して剥離台紙１０５に剥離可能に貼着されていることにより、伝票片１１０を剥離台紙１０５から剥離することができる。
【００７０】
一方、収納片１４０においては、孔形成部１２５および余剰部１２９が、裏面に積層された貼着層１０３ｂによって剥離台紙１０５に貼着され、補助部１２２ｂが貼着層１０３ｃと剥離層１０４ａとによって剥離台紙１０５に剥離可能に貼着され、また、孔形成部１２５および余剰部１２９がスリット１１５，１２７によって補助部１２２ａ，１２２ｂおよび納品書１２１から分離した状態となっているため、孔形成部１２５および余剰部１２９が剥離台紙１０５に貼着されたまま、それ以外の領域が剥離台紙１０５から剥離する。これにより、図１０（ａ）に示すように、補助部１２２ａは、孔形成部１２５が区画形成されていた領域に孔部１２５ａが形成されることになる。
【００７１】
また、余剰部１２９においても、裏面に積層された貼着層１０３ｂによって剥離台紙１０５に貼着されており、また、スリット１２７によって収納片本体部１２０から分離しているため、余剰部１２９が剥離台紙１０５に貼着されたままの状態となる。この際、余剰部１２９がスリット１２７によって収納片本体部１２０から分離した構成となっていることで、貼付シート１０２を剥離台紙１０５から剥離する作業に伴って収納片本体部１２０が破れてしまうことを回避できる。
【００７２】
次に、収納片本体部１２０を収納状態とするために、図１０（ｂ）に示すように、貼付シート１０２をその裏面が内側となるようにミシン目１３０を中心にして折り畳む。すると、折り畳まれた収納片本体部１２０は、貼着層１０３ａ，１０３ｂの幅が互いに同一となっているとともに、補助部１２２ｂが、貼付シート１０２がミシン目１３０を中心として折り畳まれた場合にその一部が貼着層１０３ａに対向するように構成されているため、納品書１２１が伝票本体部１１１と対向し、補助部１２２ｂと、補助部１２２ａに形成された孔部１２５ａとが、伝票補助部１１６の裏面に積層された貼着層１０３ａに対向する。
【００７３】
このような状態となることにより、収納片本体部１２０が収納状態とされて貼付シート１０２をミシン目１３０を中心として折り畳むと、図１０（ｂ）に示すように、伝票補助部１１６の裏面に積層された貼着層１０３ａのうち、伝票片１１０と収納片１４０との連接部分に沿う部分が孔部１２５ａを介して表出するとともに、収納片本体部１２０の伝票片１１０との連接部分以外の３辺に沿って貼着層１０３ａが表出することになる。
【００７４】
上記のようにして折り畳まれた貼付シート１０２は、伝票補助部１１６のうち、伝票片１１０と収納片１４０との連接部分に沿う領域以外の部分にて貼着層１０３ａが表出しているとともに、伝票片１１０と収納片１４０との連接部分に沿う部分においては貼着層１０３ａが孔部１２５ａを介して表出しているため、図１および図２に示したものと同様に、これら表出した貼着層１０３ａによって配送物に貼着することができる。
【００７５】
貼付シート１０２が貼付された配送物は、配送情報表示領域１１２ａ，１１３ａに印字された配送情報に従って配送先に配送されていき、その後、図１および図２に示したものと同様に、ジッパー１１４が破断されることによって配達票１１２および貼付票１１３が分離されることになる。その際、伝票片１１０の裏面には、貼着層１０３ａが積層されているが、伝票本体部１１１には貼着層１０３ａは積層されておらず、また、折り畳まれた収納片本体部１２０の一部に積層された貼着層１０３ｃは、ミシン目１３０を中心として貼付シート１０２を折り畳んだ際に伝票補助部１１６に対向する補助部１２２ｂに積層されているため、伝票片１１０から分離しにくくなることなく配達票１１２や貼付票１１３を伝票片１１０から分離して、配送物からも分離することができる。
【００７６】
このようにして配達票１１２および貼付票１１３を伝票片１１０から分離することで、図１および図２に示したものと同様に、伝票本体部１１１が伝票片１１０から分離した領域から納品書１２１が取り出し可能な状態となる。
【００７７】
そして、ミシン目１３１，１３２を破断することによって納品書１２１を補助部１２２ａ，１２２ｂから切り離すことにより、納品書１２１を取り出すことができる。この際、伝票片１１０と配送物との間に収納された収納片本体部１２０には、貼付シート１０２の折り畳み状態にて伝票片１１０に対向する面に貼着層１０３ｂ，１０３ｃが積層されているが、貼着層１０３ｂ，１０３ｃは、収納片本体部１２０のうち納品書１２１以外の領域となる補助部１２２ａ，１２２ｂに積層されているため、納品書１２１を収納片本体部１２０から分離する場合に、納品書１２１が伝票片１１０に貼着して収納片本体部１２０から分離しにくくなってしまうことを回避できる。
【００７８】
（第３の実施の形態）
図１１は、本発明の貼付用シートの第３の実施の形態を示す図であり、（ａ）は表面図、（ｂ）は（ａ）に示したＡ−Ａ’断面図である。図１２は、図１１に示した配送ラベル２０１の貼着構造を示す図であり、（ａ）は貼付シート２０２の剥離台紙２０５との貼着面の構成を示す図、（ｂ）は剥離台紙２０５の貼付シート２０２との貼着面の構成を示す図である。
【００７９】
本形態は図１１および図１２に示すように、図１および図２に示したものに対して、配達票２１２および収納片２４０の構成が異なる配送ラベル２０１である。
【００８０】
本形態における配送ラベル２０１においては、配達票２１２の４つの角部のそれぞれにコーナーカット２１４ａが形成されている。また、収納片２４０は、余剰部２２９の幅が貼着層２０３ｂの幅と同一となっているとともに、収納片本体部２２０の剥離台紙２０５との貼着面のうち余剰部２２９に沿う領域に、剥離ニス等が塗布されることで剥離層２０４ａが積層されている。また、剥離台紙２０５は、貼付シート２０２との貼着面のうち収納片２４０に対向する領域においては、剥離層が積層されておらず、剥離層２０４ａに対向する領域に第３の貼着層２０３ｃが積層されている。また、貼着層２０３ｂは、収納片２４０のうち孔形成部２２５と余剰部２２９のみに積層されている。
【００８１】
以下に、上記のように構成された配送ラベル２０１の使用方法について説明する。
【００８２】
図１３は、図１１および図１２に示した配送ラベル２０１の使用方法を説明するための図である。
【００８３】
図１１および図１２に示した配送ラベル２０１を用いて配送物を配送する場合は、貼付シート２０２が剥離台紙２０５に貼着された状態で、配送情報表示領域２１２ａ，２１３ａのそれぞれに、この配送ラベル２０１が貼着されて配送される配送物の配送先の住所や氏名等の配送情報を印字するとともに、明細情報表示領域２２１ａに、配送ラベル２０１が貼着されて配送される配送物の明細情報を印字する。この際、収納片２４０においては、後述するように貼付シート２０２と剥離台紙２０５とを剥離した際に余剰部２２９のみが剥離台紙２０５に貼着されたまま収納片本体部２２０が破れることなく剥離台紙２０５から剥離するために収納片本体部２２０と余剰部２２９とがスリット２２７を介して分離した状態で連接した構成となっているが、収納片本体部２２０においても、収納片本体部２２０に積層された剥離層２０４ａと剥離台紙２０５に積層された貼着層２０３ｃとによって剥離台紙２０５と剥離可能に貼着されているので、剥離台紙２０５から不用意に剥離することを回避できる。
【００８４】
その後、貼付シート２０２を剥離台紙２０５から剥離していくと、伝票片２１０においては、伝票補助部２１６が、貼着層２０３ａおよび剥離層２０４を介して剥離台紙２０５に剥離可能に貼着されていることにより、伝票片２１０を剥離台紙２０５から剥離することができる。
【００８５】
一方、収納片２４０においては、孔形成部２２５および余剰部２２９が、裏面に積層された貼着層２０３ｂによって剥離台紙２０５に貼着され、納品書２２１が剥離層２０４ａと貼着層２０３ｃとによって剥離台紙２０５に剥離可能に貼着され、また、孔形成部２２５および余剰部２２９がスリット２１５，２２７によって補助部２２２および納品書２２１から分離した状態となっているため、孔形成部２２５および余剰部２２９が剥離台紙２０５に貼着されたまま、それ以外の領域が剥離台紙２０５から剥離する。これにより、図１３（ａ）に示すように、補助部２２２は、孔形成部２２５が区画形成されていた領域に孔部２２５ａが形成されることになる。
【００８６】
また、余剰部２２９においても、裏面に積層された貼着層２０３ｂによって剥離台紙２０５に貼着されており、また、スリット２２７によって収納片本体部２２０から分離しているため、余剰部２２９が剥離台紙２０５に貼着されたままの状態となる。この際、余剰部２２９がスリット２２７によって収納片本体部２２０から分離した構成となっていることで、貼付シート２０２を剥離台紙２０５から剥離する作業に伴って収納片本体部２２０が破れてしまうことを回避できる。
【００８７】
次に、収納片本体部２２０を収納状態とするために、図１３（ｂ）に示すように、貼付シート２０２をその裏面が内側となるようにミシン目２３０を中心にして折り畳む。すると、折り畳まれた収納片本体部２２０は、貼着層２０３ａ，２０３ｂの幅が互いに同一となっているとともに、収納片２４０の伝票片２１０との連接方向の長さが、伝票片２１０のミシン目２３０から配達票２１２の貼付票２１３とは反対側の端辺までの長さよりも短くなっていることで、伝票補助部２１６の裏面に積層された貼着層２０３ａのうち、伝票片２２０と収納片２４０との連接部分に沿う領域以外とは対向しない。また、折り畳まれた収納片本体部２２０のうち納品書２２１が伝票本体部２１１と対向し、補助部２２２に形成された孔部２２５ａが、伝票補助部２１６の裏面に積層された貼着層２０３ａのうち、伝票片２１０と収納片２４０との連接部分に沿う領域に対向する。
【００８８】
このような状態となることにより、収納片本体部２２０が収納状態とされて貼付シート２０２をミシン目２３０を中心として折り畳むと、図１３（ｂ）に示すように、伝票補助部２１６の裏面に積層された貼着層２０３ａのうち、伝票片２１０と収納片２４０との連接部分に沿う部分が孔部２２５ａを介して表出することになる。
【００８９】
上記のようにして折り畳まれた貼付シート２０２は、伝票補助部２１６のうち、伝票片２１０と収納片２４０との連接部分に沿う領域以外の部分にて貼着層２０３ａが表出しているとともに、伝票片２１０と収納片２４０との連接部分に沿う部分においては貼着層２０３ａが孔部２２５ａを介して表出しているため、図１および図２に示したものと同様に、これら表出した貼着層２０３ａによって配送物に貼着することができる。その際、配送ラベル２０１を自動貼付機にて表面から吸引しながら配送物に貼着することが考えられるが、本形態の配送ラベル２０１においては、配達票２１２の４つの角部にコーナーカット２１４ａが形成されているため、表面からの吸引力がコーナーカット２１４ａを介して収納本体部２２０に及び、折り畳まれた収納本体部２２０が伝票本体部２１１から離れてしまうことを回避できる。また、収納本体部２２０の伝票片２１０との連接方向の長さによっては、貼付票２１３の角部に同様にコーナーカットを形成することも考えられる。さらには、そのような効果を得るためには、配達票２１２や貼付票２１３の角部にコーナーカットを形成する構成に限らず、配達票２１２や貼付票２１３の一部に微細な貫通孔を形成すればよい。ただ、配達票２１２や貼付票２１３の角部にコーナーカットを形成すれば、上述した効果を、後述するように配達票２１２や貼付票２１３を剥離しやすくするという効果と併せて有することができる。
【００９０】
貼付シート２０２が貼付された配送物は、配送情報表示領域２１２ａ，２１３ａに印字された配送情報に従って配送先に配送されていき、その後、図１および図２に示したものと同様に、ジッパー２１４が破断されることによって配達票２１２および貼付票２１３が分離されることになる。その際、配達票２１２においては、４つの角部にコーナーカット２１４ａが形成されているため、４つの角部のいずれを剥離開始端として利用しても、配達票２１２を伝票片２１０から容易に分離することができる。また、伝票片２１０の裏面には、貼着層２０３ａが積層されているが、伝票本体部２１１には貼着層２０３ａは積層されておらず、また、収納片本体部２２０と剥離台紙２０５とが、収納片本体部２２０に積層された剥離層２０４ａと剥離台紙２０５に積層された貼着層２０３ｃとによって剥離可能に貼着されていることで、収納片本体部２２０にて貼着層は存在しないため、収納片本体部２２０を折り畳んだ場合に収納片本体部２２０が伝票部２１０に貼着してしまうことが回避され、配達票２１２および貼付票２１３を伝票片２１０から分離して、配送物からも分離することができる。
【００９１】
このようにして配達票２１２および貼付票２１３を伝票片２１０から分離することで、図１および図２に示したものと同様に、伝票本体部２１１が伝票片２１０から分離した領域から納品書２２１が取り出し可能な状態となる。
【００９２】
そして、ミシン目２３１を破断することによって納品書２２１を補助部２２２から切り離すことにより、納品書２２１を取り出すことができる。
【００９３】
なお、本形態においては、収納片本体部２２０の剥離台紙２０５との貼着面のうち余剰部２２９に沿う領域に剥離層２０４ａが積層されているとともに、剥離台紙２０５の貼付シート２０２との貼着面にてこれに対向して貼着層２０３ｃが積層されているが、剥離層は、収納片本体部２２０の剥離台紙２０５との貼着面のうちミシン目２３０以外の辺に沿う領域の少なくとも一部に積層されていればよく、第３の貼着層もそれに対向していればよい。
【００９４】
また、上述した実施の形態においては、伝票片１０，１１０，２１０と収納片４０，１４０，２４０とがミシン目３０，１３０，２３０を介して折り畳み可能に連接してなる貼付シート２，１０２，２０２が剥離台紙５，１０５，２０５に貼着されてなる配送ラベル１，１０１，２０１を例に挙げて説明したが、本発明は、第１の紙片部と第２の紙片部とが折り部を介して折り畳み可能に連接してなる第１のシートと、第１のシートの一方の面に貼着された第２のシートとを有してなる貼付用シートであれば、第１の紙片部が、第２のシートとの貼着面のうち折り部以外の３辺に沿う領域に、第１の紙片部を第２のシートと剥離可能に貼着する第１の貼着層を有し、第２の紙片部が、折り部に隣接する２辺に沿う領域が、分離線によって第２の紙片部から分離されるとともに第２のシートに貼着された余剰部となっており、余剰部以外の領域となる折り返し部が、少なくとも折り部以外の辺に沿う領域にて第２のシートと剥離可能に貼着された構成のものであれば、いかなる形態のものも適用することができ、上述したものと同様の作用効果を生じさせることができる。またその際、第１の貼着層は、第１の紙片部の第２のシートとの貼着面のうち折り部以外の３辺に沿う領域の全面に積層されていなくても、折り部以外の３辺に沿う領域の少なくとも一部に積層されていればよい。また、折り返し部においても、折り部以外の辺に沿う領域の全面にて第２のシートと剥離可能に貼着されているものに限らず、折り部以外の辺に沿う領域の少なくとも一部にて第２のシートと剥離可能に貼着されていればよい。
【符号の説明】
【００９５】
１，１０１，２０１    配送ラベル
２，１０２，２０２    貼付シート
３ａ，３ｂ，１０３ａ〜１０３ｃ，２０３ａ〜２０３ｃ    貼着層
４，１０４，１０４ａ，２０４，２０４ａ    剥離層
５，１０５，２０５    剥離台紙
６    配送物
１０，１１０，２１０    伝票片
１１，１１１，２１１    伝票本体部
１２，１１２，２１２    配達票
１２ａ，１３ａ，１１２ａ，１１３ａ，２１２ａ，２１３ａ    配送情報表示領域
１２ｂ，１１２ｂ，２１２ｂ    押印領域
１２ｃ，１３ｃ    配送情報
１２ｄ    受領印
１３，１１３，２１３    貼付票
１４，１１４，２１４    ジッパー
１４ａ，１１４ａ，２１４ａ    コーナーカット
１５，２７，１１５，１２７，２１５，２２７    スリット
１６，１１６，２１６    伝票補助部
２０，１２０，２２０    収納片本体部
２１，１２１，２２１    納品書
２１ａ，１２１ａ，２２１ａ    明細情報表示領域
２１ｂ，１２１ｂ，２２１ｂ    明細情報
２２，１２２ａ，１２２ｂ，２２２    補助部
２５，１２５，２２５    孔形成部
２５ａ，１２５ａ，２２５ａ    孔部
２９，１２９，２２９    余剰部
３０，３１，１３０，１３１，１３２，２３０，２３１    ミシン目
４０，１４０，２４０    収納片
【図１】
2019038210.tif 000003
【図２】
2019038210.tif 000004
【図３】
2019038210.tif 000005
【図４】
2019038210.tif 000006
【図５】
2019038210.tif 000007
【図６】
2019038210.tif 000008
【図７】
2019038210.tif 000009
【図８】
2019038210.tif 000010
【図９】
2019038210.tif 000011
【図１０】
2019038210.tif 000012
【図１１】
2019038210.tif 000013
【図１２】
2019038210.tif 000014
【図１３】
2019038210.tif 000015
【図１４】
2019038210.tif 000016
【図１５】
2019038210.tif 000017
【図１６】
2019038210.tif 000018